(57)【要約】【課題】蒸発器の冷却能力をスムーズに変化させることのできる空調装置を提供する。【解決手段】空調装置が、蒸発器６をバイパスして冷媒を循環させるバイパス路９と、バイパス路９を流通する、膨張弁５にて膨張された後の冷媒中の凝縮冷媒を蒸発させる補助蒸発器１０と、蒸発器６への冷媒の流量と補助蒸発器１０への冷媒の流量とを調節可能な流量調節手段１１とを備え、制御手段８は、圧縮機２の作動制御と流量調節手段１１の作動制御とを実施して、冷却空気の温度を設定冷却空気温度に近付けるように制御する。【選択図】図１
2009210240.tif 000002
【特許請求の範囲】
【請求項１】
冷媒が循環する循環経路と、蒸発した冷媒を圧縮する圧縮機と、前記圧縮機にて圧縮された冷媒を凝縮させる凝縮器と、前記凝縮器にて凝縮された後の冷媒を膨張させる膨張弁と、前記膨張弁にて膨張された後の冷媒中の凝縮冷媒を蒸発させると共に、吸込空気と前記凝縮冷媒との熱交換により前記吸込空気を冷却する蒸発器と、前記蒸発器において冷却された冷却空気を加熱する加熱手段と、運転を制御する制御手段とを備え、
前記制御手段は、前記加熱手段から吹き出される吹出空気温度が設定吹出空気温度となるように前記加熱手段の作動を制御する空調装置であって、
前記蒸発器をバイパスして冷媒を循環させるバイパス路と、前記バイパス路を流通する、前記膨張弁にて膨張された後の冷媒中の凝縮冷媒を蒸発させる補助蒸発器と、前記蒸発器への冷媒の流量と前記補助蒸発器への冷媒の流量とを調節可能な流量調節手段とを備え、
前記制御手段は、前記圧縮機の作動制御と前記流量調節手段の作動制御とを実施して、前記冷却空気の温度を設定冷却空気温度に近付けるように制御するように構成されている空調装置。
【請求項２】
前記制御手段は、前記冷却空気の温度が前記設定冷却空気温度よりも低い下限冷却空気温度以上であるとき、運転中の前記圧縮機の回転速度を調節することで前記冷却空気の温度を制御し、前記冷却空気の温度が前記下限冷却空気温度よりも低いとき、前記蒸発器への冷媒の流量を調節することで前記冷却空気の温度を制御するように構成されている請求項１記載の空調装置。
【請求項３】
前記制御手段は、前記蒸発器への冷媒の流量を最小にしても前記冷却空気の温度が前記下限冷却空気温度よりも低いとき前記圧縮機の運転を停止し、及び、前記圧縮機の運転を停止した後で前記冷却空気の温度が前記下限冷却空気温度以上になると、前記蒸発器への冷媒の流量を最小にした状態で前記圧縮機の運転を開始するように構成されている請求項２記載の空調装置。
【請求項４】
前記制御手段は、前記冷却空気の温度が前記設定冷却空気温度よりも低い下限冷却空気温度以上であるとき、前記圧縮機を運転した状態で、前記蒸発器への冷媒の流量を調節することで前記冷却空気の温度を制御し、
前記蒸発器への冷媒の流量を最小にしても前記冷却空気の温度が前記下限冷却空気温度よりも低いとき、前記圧縮機の運転を停止し、及び、前記圧縮機の運転を停止した後で前記冷却空気の温度が前記下限冷却空気温度以上になると、前記蒸発器への冷媒の流量を最小にした状態で前記圧縮機の運転を開始するように構成されている請求項１記載の空調装置。
【発明の詳細な説明】
【技術分野】
【０００１】
本発明は、直膨式の冷凍サイクルを利用した空調装置に関する。
【背景技術】
【０００２】
直膨式の冷凍サイクルを利用した空調装置として、蒸発した冷媒を圧縮する圧縮機と、圧縮機にて圧縮された冷媒を凝縮させる凝縮器と、凝縮器にて凝縮された後の冷媒を膨張させる膨張弁と、膨張弁にて膨張された後の冷媒中の凝縮冷媒を蒸発させると共に、吸込空気と凝縮冷媒との熱交換により吸込空気を冷却する蒸発器と、蒸発器において冷却された冷却空気を加熱する加熱手段と、運転を制御する制御手段とを備えたものがある（例えば、特許文献１を参照）。
【０００３】
特許文献１に記載の空調装置では、制御手段は、蒸発器において冷却されて排出される冷却空気の温度と、加熱手段において加熱されて排出される吹出空気の温度との両方を制御する。具体的には、制御手段は、冷却空気の制御目標温度（設定冷却空気温度）を、吹出空気の制御目標温度（設定吹出空気温度）よりも僅かに低く設定することで、加熱手段（例えば、電気ヒータ）での温度制御の精度を高めながら消費電力を抑えるようにしている。具体的には、特許文献１に記載の空調装置では、圧縮機の回転速度を制御して蒸発器への冷媒の流量が調節することで蒸発器の冷却能力を調節している。
【０００４】
また、吸込空気の温度に応じて圧縮機の運転と停止とを切り換えることで、蒸発器の冷却能力を調節している空調装置もある（例えば、特許文献２を参照）。
【０００５】
【特許文献１】特開２００４−３５３９１６号公報
【特許文献２】特開２００２−３６６２３３号公報
【発明の開示】
【発明が解決しようとする課題】
【０００６】
特許文献１に記載の空調装置では、圧縮機の回転速度を低下させることで蒸発器の冷却能力を低下させ、冷却空気の温度を上昇傾向にさせることができる。しかし、吸込空気の温度が低いと、蒸発器の冷却能力を低下させるべく圧縮機の回転速度を下限まで下げたとしても、冷却空気の温度を設定冷却空気温度まで上昇させることができない可能性もある。
また、特許文献２に記載の空調装置では、圧縮機の運転を停止させることで蒸発器の冷却能力を低下させ、冷却空気の温度を上昇傾向にさせることができる。しかし、冷却空気の温度を制御するために、圧縮機の発停を繰り返さねばならないという問題がある。
【０００７】
また、特許文献１と特許文献２との組み合わせに基づく空調装置を想定することもでき、その場合、圧縮機の回転速度を低下させることで蒸発器の冷却能力を低下させ、圧縮機の回転速度が下限になると、圧縮機を停止させるような構成になると考えられる。この場合、圧縮機の回転速度を調節することで蒸発器の冷却能力を変化させることができ、加えて、圧縮機の回転速度を下限にしても蒸発器の冷却能力が過剰である場合には圧縮機を停止することで更に蒸発器の冷却能力を低下させることができる。
【０００８】
図５は、特許文献１と特許文献２との組み合わせに基づく空調装置を運転させた場合の吹出空気（冷却空気を加熱手段で加熱した後の空気）の温度の時間的変化を示すグラフである。この場合、吹出空気の制御目標温度（設定吹出空気温度）は２３℃に設定されているので、ヒータなどを用いて構成される加熱手段は、冷却空気を加熱して吹出空気の温度が２３℃になるように制御される。図５から明らかであるように、吹出空気の温度は圧縮機の運転を開始（オン）及び停止（オフ）すると、急激な変化を示す。これは、圧縮機の運転の開始及び停止に伴って、蒸発器の冷却能力が急激に変化するからである。
以上のように、従来の空調装置は、圧縮機の回転速度を下限まで低下させた後は蒸発器の冷却能力をスムーズに低下することができない。
【０００９】
本発明は、上記の課題に鑑みてなされたものであり、その目的は、蒸発器の冷却能力をスムーズに変化させることのできる空調装置を提供する点にある。
【課題を解決するための手段】
【００１０】
上記目的を達成するための本発明に係る空調装置の特徴構成は、冷媒が循環する循環経路と、蒸発した冷媒を圧縮する圧縮機と、前記圧縮機にて圧縮された冷媒を凝縮させる凝縮器と、前記凝縮器にて凝縮された後の冷媒を膨張させる膨張弁と、前記膨張弁にて膨張された後の冷媒中の凝縮冷媒を蒸発させると共に、吸込空気と前記凝縮冷媒との熱交換により前記吸込空気を冷却する蒸発器と、前記蒸発器において冷却された冷却空気を加熱する加熱手段と、運転を制御する制御手段とを備え、前記制御手段は、前記加熱手段から吹き出される吹出空気温度が設定吹出空気温度となるように前記加熱手段の作動を制御する空調装置であって、前記蒸発器をバイパスして冷媒を循環させるバイパス路と、前記バイパス路を流通する、前記膨張弁にて膨張された後の冷媒中の凝縮冷媒を蒸発させる補助蒸発器と、前記蒸発器への冷媒の流量と前記補助蒸発器への冷媒の流量とを調節可能な流量調節手段とを備え、前記制御手段は、前記圧縮機の作動制御と前記流量調節手段の作動制御とを実施して、前記冷却空気の温度を設定冷却空気温度に近付けるように制御するように構成されている点にある。
【００１１】
上記特徴構成によれば、圧縮機の運転を調節して冷却空気の温度を制御することが可能であり、且つ、蒸発器への冷媒流量を調節することで冷却空気の温度を制御することが可能である。つまり、圧縮機の出力を下限まで小さくして蒸発器の冷却能力を低下させた後であっても、流量調節手段を用いて蒸発器への冷媒流量を減少させることで蒸発器の冷却能力を更に低下させることが可能となる。よって、圧縮機の作動制御と流量調節手段の作動制御とを併用することで、蒸発器の冷却能力をスムーズに変化させることのできる空調装置を提供できる。
【００１２】
本発明に係る空調装置の別の特徴構成は、前記制御手段は、前記冷却空気の温度が前記設定冷却空気温度よりも低い下限冷却空気温度以上であるとき、運転中の前記圧縮機の回転速度を調節することで前記冷却空気の温度を制御し、前記冷却空気の温度が前記下限冷却空気温度よりも低いとき、前記蒸発器への冷媒の流量を調節することで前記冷却空気の温度を制御するように構成されている点にある。
【００１３】
上記特徴構成によれば、制御手段は、冷却空気の温度が下限冷却空気温度以上であるときには、圧縮機の作動制御によって蒸発器の冷却能力をスムーズに変更させ、冷却空気の温度が下限冷却空気温度よりも低いときには、蒸発器への冷媒流量を調節することで蒸発器の冷却能力をスムーズに変更させる。つまり、冷却空気の温度が下限冷却空気温度よりも低い場合において、圧縮機の回転速度が下限値になるなどして、圧縮機の作動制御によって蒸発器の冷却能力をスムーズに変更させることができない状況でも、蒸発器への冷媒流量を調節することで蒸発器の冷却能力をスムーズに変更させることができる。
【００１４】
本発明に係る空調装置の別の特徴構成は、前記制御手段は、前記蒸発器への冷媒の流量を最小にしても前記冷却空気の温度が前記下限冷却空気温度よりも低いとき前記圧縮機の運転を停止し、及び、前記圧縮機の運転を停止した後で前記冷却空気の温度が前記下限冷却空気温度以上になると、前記蒸発器への冷媒の流量を最小にした状態で前記圧縮機の運転を開始するように構成されている点にある。
【００１５】
上記特徴構成によれば、蒸発器への冷媒流量を最小にした状態（即ち、圧縮機の出力を調節して冷却能力を調節しているときよりも蒸発器の冷却能力を小さくした状態）で圧縮機の運転が停止されるので、圧縮機の運転停止に伴って蒸発器の冷却能力が急激に低下しなくなる。また、蒸発器への冷媒流量を最小にした状態で圧縮機の運転が再開されるので、圧縮機の運転再開に伴って蒸発器の冷却能力が急激に増大しなくなる。
【００１６】
本発明に係る空調装置の別の特徴構成は、前記制御手段は、前記冷却空気の温度が前記設定冷却空気温度よりも低い下限冷却空気温度以上であるとき、前記圧縮機を運転した状態で、前記蒸発器への冷媒の流量を調節することで前記冷却空気の温度を制御し、前記蒸発器への冷媒の流量を最小にしても前記冷却空気の温度が前記下限冷却空気温度よりも低いとき、前記圧縮機の運転を停止し、及び、前記圧縮機の運転を停止した後で前記冷却空気の温度が前記下限冷却空気温度以上になると、前記蒸発器への冷媒の流量を最小にした状態で前記圧縮機の運転を開始するように構成されている点にある。
【００１７】
上記特徴構成によれば、制御手段は、冷却空気の温度が下限冷却空気温度以上であるときには、蒸発器への冷媒流量を調節することで蒸発器の冷却能力をスムーズに変更させて冷却空気の温度を設定冷却空気温度に近づけることができる。
また、蒸発器への冷媒流量を最小にした状態（即ち、圧縮機の出力を調節して冷却能力を調節しているときよりも蒸発器の冷却能力を小さくした状態）で圧縮機の運転が停止されるので、圧縮機の運転停止に伴って蒸発器の冷却能力が急激に低下しなくなる。また、蒸発器への冷媒流量を最小にした状態で圧縮機の運転が再開されるので、圧縮機の運転再開に伴って蒸発器の冷却能力が急激に増大しなくなる。
【発明を実施するための最良の形態】
【００１８】
＜第１実施形態＞
以下に第１実施形態の空調装置の構成について説明する。
図１は、空調装置の構成を示す図である。図示するように、空調装置は、冷媒が循環する循環経路１を備える。空調装置は、循環経路１の途中において、蒸発した冷媒を圧縮する圧縮機２及び当該圧縮機２を駆動する電動機３と、圧縮機２にて圧縮された冷媒を凝縮させる凝縮器４と、凝縮器４にて凝縮された後の冷媒を膨張させる膨張弁５と、膨張弁５にて膨張された後の冷媒中の凝縮冷媒を蒸発させると共に、吸込空気と凝縮冷媒との熱交換により吸込空気を冷却する蒸発器６と、蒸発器６において冷却された冷却空気を加熱する電気式のヒータ７（加熱手段の一例）と、運転を制御する制御手段８とを備える。また、吸込空気を吸い込んで、蒸発器６及びヒータ７を経由した後で空調装置から排出するための空気の流れを作り出すファン１３を設けてある。凝縮器４にはファン１２を用いて外気が導入されている。
【００１９】
制御手段８は、蒸発器６において冷却されて排出される冷却空気の温度と、ヒータ７において加熱されて排出される吹出空気の温度との両方を制御する。具体的には、制御手段８は、冷却空気の制御目標温度（以下、「設定冷却空気温度」と記載する）を、吹出空気の制御目標温度（以下、「設定吹出空気温度」と記載する）よりも僅かに低く設定する。そして、制御手段８は、ヒータ７を用いて冷却空気を加熱して、吹出空気の温度が設定吹出空気温度と同じになるようにする。このように、設定冷却空気温度を設定吹出空気温度よりも僅かに低く設定することで、ヒータ７での加熱要求量を僅かにして温度制御の精度を高めながら消費電力を抑えるようにしている。制御手段８は、冷却空気の温度を制御するために、蒸発器６の冷却能力、即ち、蒸発器６を流通する冷媒量を調節する。つまり、制御手段８は、冷却空気の温度を上昇させるためには圧縮機２の回転速度を低下させて蒸発器６を流通する冷媒量を減少させ、冷却空気の温度を低下させるためには圧縮機２の回転速度を上昇させて蒸発器６を流通する冷媒量を増加させる。また、制御手段８は、吹出空気の温度を制御するためには電気式のヒータ７への通電量を調節する。本実施形態では、制御手段８は、温度センサ１４を用いて検出された冷却空気の温度と、温度センサ１５を用いて検出された吹出空気の温度を入手できるように構成されている。
【００２０】
よって、制御手段８は、蒸発器６によって冷却された冷却空気の温度が設定冷却空気温度であれば又は設定冷却空気温度を含む温度範囲内にあれば、ヒータ７の通電量を調節することで、吹出空気の温度を設定吹出空気の温度へと調節できる。尚、この温度範囲は、設定冷却空気温度よりも低温側に設定される範囲である。冷却空気の温度は、蒸発器６の冷却能力（圧縮機の運転状態）を調節することで制御される。しかし、冷却空気の温度が上記設定冷却空気温度を含む上記温度範囲内になければ（即ち、冷却空気の温度が下限冷却空気温度よりも低ければ）、ヒータ７を用いて冷却空気を最大に加熱しても、吹出空気の温度を上記設定吹出空気温度と同じにできない。よって、従来の空調装置では、圧縮機２の回転速度が下限値であるときに冷却空気の温度が下限冷却空気温度よりも低くなると、圧縮機２の運転を即座に停止して蒸発器６の冷却能力を低下させなければならない。
【００２１】
ところが、第１実施形態の空調装置では、蒸発器６をバイパスして冷媒を循環させるバイパス路９と、バイパス路９を流通する、膨張弁５にて膨張された後の冷媒中の凝縮冷媒を蒸発させる補助蒸発器１０と、蒸発器６への冷媒の流量と補助蒸発器１０への冷媒の流量とを調節可能な三方弁１１（流量調節手段の一例）とを備える。補助蒸発器１０は、凝縮器４から排出される凝縮排気の下流側に設けられている。つまり、制御手段８は、冷却空気の温度が設定冷却空気温度よりも低い下限冷却空気温度以上であるとき、運転中の圧縮機２の回転速度を調節することで冷却空気の温度を制御し、冷却空気の温度が下限冷却空気温度よりも低いとき、蒸発器６への冷媒の流量を調節することで冷却空気の温度を制御するように構成されている。よって、第１実施形態の空調装置では、圧縮機２の回転速度が下限値であるときに冷却空気の温度が下限冷却空気温度よりも低くなったとしても、圧縮機２の運転を即座に停止して蒸発器６の冷却能力を低下させなくてもよい。本発明において、流量調節手段は上記三方弁１１に限定されない。例えば、循環経路１及びバイパス路９に設けた複数の弁によって構成される流量調節手段によって、蒸発器６への冷媒の流量と補助蒸発器１０への冷媒の流量とを調節することもできる。
【００２２】
図２及び図３は、制御手段８が行う圧縮機２の作動制御及び三方弁１１の作動制御のフローチャートである。
制御手段８は、空調装置の運転が開始されると、工程１０において、冷却空気の温度が設定冷却空気温度であるか否かを温度センサ１４の検出結果に基づいて判定する。冷却空気の温度が設定冷却空気温度と等しい場合（工程１０において、「Ｙｅｓ」である場合）、制御手段８は、現在の圧縮機２の作動制御及びヒータ７の作動制御を変更する必要はないので、再び工程１０にリターンする。一方で、冷却空気の温度が設定冷却空気温度ではない場合（工程１０において、「Ｎｏ」の場合）、制御手段８は工程２０に移行する。工程２０において制御手段８は、冷却空気の温度が設定冷却空気温度より高いか否かを判定する。制御手段８は、冷却空気の温度が設定冷却空気温度より高い場合には工程３０に移行し、そうでない場合（即ち、冷却空気の温度が設定冷却空気温度よりも低い場合）には工程５０に移行する。冷却空気の温度が設定冷却空気温度より高い場合には蒸発器６の冷却能力を増大させるような制御を行う必要があり、冷却空気の温度が設定冷却空気温度より低い場合には蒸発器６の冷却能力を低下させるような制御が必要である。
【００２３】
制御手段８は、冷却空気の温度が設定冷却空気温度より高い場合、工程３０において、圧縮機２の回転速度が上限回転速度であるか否かを判定する。そして、制御手段８は、圧縮機２の回転速度が上限回転速度でないならば（即ち、回転速度を上昇させることができるならば）、工程４０に移行して圧縮機２の回転速度を設定回転数だけ上昇させる。その結果、蒸発器６の冷却能力は増大し、冷却空気の温度は低下する方向になる。
一方で、制御手段８は、圧縮機２の回転速度が上限回転速度であれば（即ち、回転速度を上昇させることができない）、再び工程１０にリターンする。
【００２４】
制御手段８は、工程２０において冷却空気の温度が設定冷却空気温度より低いと判定した場合には、工程５０において圧縮機２の回転速度が下限回転速度であるか否かを判定する。そして、圧縮機２の回転速度が下限回転速度でないならば（即ち、回転速度を低下させることができるならば）、工程６０に移行して圧縮機２の回転速度を設定回転数だけ低下させる。その結果、蒸発器６の冷却能力は低下し、冷却空気の温度は上昇する方向になる。
一方で、制御手段８は、圧縮機２の回転速度が下限回転速度であれば（即ち、回転速度を低下させることができないならば）、工程７０に移行する。
【００２５】
工程７０において制御手段８は、冷却空気の温度が下限冷却空気温度よりも低いか否かを判定する。本実施形態において、下限冷却空気温度は、冷却空気の制御目標温度である設定冷却空気温度よりも低い温度である。そして、制御手段８は、冷却空気の温度が下限冷却空気温度よりも低くなっている場合には工程８０に移行し、冷却空気の温度が下限冷却空気温度より低くなっていない場合には、再び工程１０にリターンする。
【００２６】
図３は、工程８０で行われる圧縮機２の運転中断制御のフローチャートである。この運転中断制御では、制御手段８は、所定の条件に従って、三方弁１１を用いて蒸発器６を流通する冷媒の流量を調節する制御と、圧縮機２の運転の停止及び開始制御とを行う。
具体的には、制御手段８は、蒸発器６への冷媒の流量を増加させることで冷却空気の温度を低下させ、及び、蒸発器６への冷媒の流量を減少させることで冷却空気の温度を上昇させるような制御を実施する。
また、制御手段８は、蒸発器６への冷媒の流量が最小になるように三方弁１１を制御しても冷却空気の温度が下限冷却空気温度よりも低いとき、圧縮機２の運転を停止し、及び、圧縮機２の運転を停止した後で冷却空気の温度が下限冷却空気温度以上になると、蒸発器６への冷媒の流量が最小になるように三方弁１１を制御した状態で圧縮機２の運転を開始する
詳細は図３を参照して以下に説明する。
【００２７】
図３の工程８１において制御手段８は、冷却空気の温度が下限冷却空気温度よりも低いか否かを判定する。冷却空気の温度が下限冷却空気温度よりも低い場合、蒸発器６の冷却能力を低下させるべく蒸発器６への冷媒流量を減少させる必要がある。また、冷却空気の温度が下限冷却空気温度よりも低くない場合、蒸発器６の冷却能力を高めてもよいので蒸発器６への冷媒流量を増大させる。
【００２８】
制御手段８は、工程８１において冷却空気の温度が下限冷却空気温度よりも低い場合、工程８２に移行して蒸発器６への冷媒流量が最小であるか否かを判定する。制御手段８は、蒸発器６への冷媒流量が最小ではない場合には、工程８３に移行して、三方弁１１を制御して蒸発器６への冷媒流量を減少させる（相対的に、補助蒸発器１０への冷媒流量が増加する）。
一方で、制御手段８は、蒸発器６への冷媒流量が最小である場合、即ち、これ以上は蒸発器６への冷媒流量を減少させることができず、蒸発器６の冷却能力が最低レベルにまで低下させられている場合、工程８４において圧縮機２の運転を停止させる（即ち、電動機３の運転を停止させる）。
【００２９】
以上のように、工程８４において圧縮機２の運転を停止させることで、蒸発器６には冷媒が供給されなくなり、冷却空気の温度は上昇傾向になる。このように、蒸発器６への冷媒流量を最小にした状態（即ち、蒸発器６の冷却能力が最小にされた状態）で圧縮機２の運転が停止されるので、圧縮機２の運転停止に伴って蒸発器６の冷却能力が急激に低下しなくなる。
【００３０】
次に、工程８５において制御手段８は、圧縮機２の運転を停止したことで冷却空気の温度が下限冷却空気温度以上にまで上昇したか否かを判定する。制御手段８は、冷却空気の温度が下限冷却空気温度以上にまで上昇した場合には、工程８６に移行して蒸発器６への冷媒流量を最小にした状態で圧縮機２の運転を開始し、冷却空気の温度が下限冷却空気温度以上にまで上昇していない場合には工程８５を繰り返して冷却空気の温度が下限冷却空気温度以上にまで上昇するのを待つ。このように、蒸発器６への冷媒流量を最小にした状態（即ち、蒸発器６の冷却能力が最小にされた状態）で圧縮機２の運転が再開されるので、圧縮機２の運転再開に伴って蒸発器６の冷却能力が急激に増大しなくなる。
また、制御手段８は、工程８６において圧縮機２の運転を開始した後は、工程８１に移行する。
【００３１】
制御手段８は、工程８１において冷却空気の温度が下限冷却空気温度よりも低くない場合（即ち、冷却空気の温度が下限冷却空気温度以上である場合）、工程８７に移行して蒸発器６への冷媒流量が最大であるか否かを判定する。制御手段８は、蒸発器６への流量が最大ではない場合には、工程８８に移行して蒸発器６への冷媒流量を増大させる。その結果、蒸発器６の冷却能力が増大されて、冷却空気の温度が低下傾向になる。
一方で、制御手段８は、工程８７において蒸発器６への冷媒流量が最大であると判定した場合、図２のフローチャートにリターンする。
【００３２】
＜第２実施形態＞
第２実施形態の空調装置は、圧縮機の回転速度制御を行わない点で第１実施形態の空調装置と異なっている。以下に、第２実施形態の空調装置の構成について説明するが、第１実施形態と同様の構成については説明を省略する。
【００３３】
図４は、制御手段８が行う圧縮機２の作動制御及び三方弁１１の作動制御のフローチャートである。尚、第２実施形態の空調装置の構成は、図１に示したものと同様である。但し、制御手段８は、圧縮機２の回転速度制御を行わず、圧縮機２の運転開始及び運転停止の制御のみを行う。つまり、制御手段８は、圧縮機２の作動制御と三方弁１１の作動制御とを実施して、冷却空気の温度を設定冷却空気温度に近付けるように制御する。具体的には、制御手段８は、冷却空気の温度が設定冷却空気温度よりも低い下限冷却空気温度以上であるとき、圧縮機２を運転した状態で、蒸発器６への冷媒の流量を調節することで冷却空気の温度を制御し、冷却空気の温度が下限冷却空気温度よりも低いとき、圧縮機２の運転を停止させるように構成されている。
【００３４】
図４の工程９１において制御手段８は、冷却空気の温度が設定冷却空気温度よりも低いか否かを判定する。制御手段８は、冷却空気の温度が設定冷却空気温度よりも低い場合、工程９２に移行する。また、制御手段８は、冷却空気の温度が設定冷却空気温度よりも低くない場合、工程９７に移行する。
【００３５】
制御手段８は、工程９１において冷却空気の温度が設定冷却空気温度よりも低い場合、工程９２に移行して蒸発器６への冷媒流量が最小であるか否かを判定する。制御手段８は、蒸発器６への冷媒流量が最小ではない場合には、工程１００に移行して、三方弁１１を制御して蒸発器６への冷媒流量を減少させ、その後、工程９１にリターンする。
一方で、制御手段８は、蒸発器６への冷媒流量が最小である場合、即ち、これ以上は蒸発器６への冷媒流量を減少させることができず、蒸発器６の冷却能力が最低レベルにまで低下させられている場合、工程９３において冷却空気の温度が下限冷却空気温度よりも低いか否かを判定する。そして、制御手段８は、冷却空気の温度が下限冷却空気温度よりも低い場合には、工程９４において圧縮機２の運転を停止させる（即ち、電動機３の運転を停止させる）。このように、蒸発器６への冷媒流量を最小にした状態（即ち、蒸発器６の冷却能力が最小にされた状態）で圧縮機２の運転が停止されるので、圧縮機２の運転停止に伴って蒸発器６の冷却能力が急激に低下しなくなる。
また、制御手段８は、冷却空気の温度が下限冷却空気温度よりも低くない場合には工程９１にリターンする。
【００３６】
以上のように、工程９４において圧縮機２の運転を停止させることで、蒸発器６には冷媒が供給されなくなり、冷却空気の温度は上昇傾向になる。
次に、工程９５において制御手段８は、圧縮機２の運転を停止したことで冷却空気の温度が下限冷却空気温度以上にまで上昇したか否かを判定する。制御手段８は、冷却空気の温度が下限冷却空気温度以上にまで上昇した場合には、工程９６に移行して蒸発器６への冷媒流量を最小にした状態で圧縮機２の運転を開始し、冷却空気の温度が下限冷却空気温度以上にまで上昇していない場合には工程９５を繰り返して冷却空気の温度が下限冷却空気温度以上にまで上昇するのを待つ。このように、蒸発器６への冷媒流量を最小にした状態（即ち、蒸発器６の冷却能力が最小にされた状態）で圧縮機２の運転が再開されるので、圧縮機２の運転再開に伴って蒸発器６の冷却能力が急激に増大しなくなる。
また、制御手段８は、工程９６において圧縮機２の運転を開始した後は、工程９１に移行する。
【００３７】
制御手段８は、工程９１において冷却空気の温度が設定冷却空気温度よりも低くない場合（即ち、冷却空気の温度が設定冷却空気温度以上である場合）、工程９７に移行して冷却空気の温度が設定冷却空気温度より高いか否かを判定する。制御手段８は、工程９７において冷却空気の温度が設定冷却空気温度よりも高くない場合、即ち、冷却空気の温度が設定冷却空気温度と等しい場合には工程９１にリターンする。
一方で、制御手段８は、工程９７において冷却空気の温度が設定冷却空気温度よりも高い場合には、工程９８に移行して蒸発器６への冷媒流量が最大であるか否かを判定する。制御手段８は、蒸発器６への流量が最大ではない場合には、工程９９に移行して蒸発器６への冷媒流量を増大させ、その後、工程９１にリターンする。その結果、蒸発器６の冷却能力が増大されて、冷却空気の温度が低下傾向になる。制御手段８は、蒸発器６の流量が最大である場合には工程９１にリターンする。
【００３８】
＜別実施形態＞
上記実施形態では、制御手段８が、温度センサ１４で測定される冷却空気の温度に応じて圧縮機２の運転を制御する例について説明したが、他の温度センサで測定される温度に応じて圧縮機２の運転を制御するように改変してもよい。例えば、吸込空気の温度を測定する温度センサを設け、制御手段が、その温度センサで測定される冷却空気の温度に応じて圧縮機２の運転を制御してもよい。その場合、上記設定冷却空気温度と同様に、吸込空気の温度についての設定吸込空気温度等を設ければよい。
【図面の簡単な説明】
【００３９】
【図１】空調装置の構成を示す図
【図２】圧縮機の作動制御及び流量調節手段の作動制御のフローチャート
【図３】圧縮機の作動制御及び流量調節手段の作動制御のフローチャート
【図４】圧縮機の作動制御及び流量調節手段の作動制御のフローチャート
【図５】空調装置を運転させた場合の吹出空気の温度の時間的変化を示すグラフ
【符号の説明】
【００４０】
１  循環経路
２  圧縮機
４  凝縮器
５  膨張弁
６  蒸発器
７  ヒータ（加熱手段）
８  制御手段
１１  三方弁（流量調節手段）
【図１】
2009210240.tif 000003
【図２】
2009210240.tif 000004
【図３】
2009210240.tif 000005
【図４】
2009210240.tif 000006
【図５】
2009210240.tif 000007